(57)【要約】【課題】長期的に防蟻効果を維持させた床下防蟻構造にする。【解決手段】建築物１０の基礎３１で囲まれた床下部分を防蟻する床下防蟻構造であって、基礎３１の内側面に沿って地盤４１に溝部４３が形成され、この溝部４３に防蟻材５１が充填され、溝部４３を被覆する状態で土間部４２に土間コンクリート６１が配設され、溝部４３と土間コンクリート６１との間に、防蟻材５１と土間コンクリート６１との接触を遮断する土間コンクリート用遮断シート２１が設けられているとともに、溝部４３と地盤４１との間に、防蟻材５１と地盤４１との接触を遮断する地盤用遮断シート１１が設けられている【選択図】        図１
2004293049.tif 000002
【特許請求の範囲】
【請求項１】
建築物の基礎で囲まれた床下部分を防蟻する床下防蟻構造であって、
上記床下部分の基礎内側面に沿った地盤上に防蟻材が配設され、上記防蟻材を被覆する状態で上記防蟻材が配設された位置より内側の土間部分に土間コンクリートが配設され、
上記防蟻材と上記土間コンクリートとの間に、上記防蟻材と上記土間コンクリートとの接触を遮断する土間コンクリート用遮断シートが設けられている
ことを特徴とする床下防蟻構造。
【請求項２】
建築物の基礎で囲まれた床下部分を防蟻する床下防蟻構造であって、
上記床下部分の基礎内側面に沿った地盤上に防蟻材が配設され、上記防蟻材を被覆する状態で上記防蟻材が配設された位置より内側の土間部分に土間コンクリートが配設され、
上記防蟻材と上記地盤との間に、上記防蟻材と上記地盤の接触を遮断する地盤用遮断シートが設けられている
ことを特徴とする床下防蟻構造。
【請求項３】
建築物の基礎で囲まれた床下部分を防蟻する床下防蟻構造であって、
上記床下部分の基礎内側面に沿った地盤上に防蟻材が配設され、上記防蟻材を被覆する状態で上記防蟻材が配設された位置より内側の土間部分に土間コンクリートが配設され、
上記防蟻材と上記土間コンクリートとの間に、上記防蟻材と上記土間コンクリートとの接触を遮断する土間コンクリート用遮断シートが配設されているとともに、
上記防蟻材と上記地盤との間に、上記防蟻材と上記地盤との接触を遮断する地盤用遮断シートが配設されている
ことを特徴とする床下防蟻構造。
【請求項４】
請求項３記載の床下防蟻構造であって、
上記地盤用遮断シートの内側端を覆うように上記土間コンクリート用遮断シートが設置されている
ことを特徴とする床下防蟻構造。
【請求項５】
上記土間コンクリート用遮断シートは床下部分全面を覆うことを特徴とする請求項１、３、４のいずれかに記載の床下防蟻構造。
【請求項６】
上記地盤用遮断シートは、上記床下部分のうち基礎内側面に沿って帯状に延びる領域の地盤を被覆することを特徴とする請求項２乃至５のいずれかに記載の床下防蟻構造。
【請求項７】
上記土間コンクリート用遮断シートは可撓性を有し、上記土間コンクリート用遮断シートの外側端が上記基礎内側面に沿う向きに折り曲げられた状態で当該基礎内側面に密着するように上記土間コンクリート用遮断シートが設置されていることを特徴とする請求項１、３乃至６のいずれかに記載の床下防蟻構造。
【請求項８】
請求項１記載の床下防蟻構造であって、
上記床下部分のうち上記基礎内側面に沿う地盤に溝部が設けられ、かかる溝部に防蟻材が充填されたことを特徴とする床下防蟻構造。
【請求項９】
請求項２乃至７のいずれかに記載の床下防蟻構造であって、
上記床下部分の基礎内側面に沿う地盤に溝部が形成され、かかる溝部に防蟻材が充填され、上記溝部底部の地盤に沿って地盤用遮断シートが設けられている
ことを特徴とする床下防蟻構造。
【請求項１０】
請求項９記載の床下防蟻構造であって、
上記地盤用遮断シートは、その内側端が上記溝部より内側の土間部分にはみ出るように設置され、
この内側端を覆うように上記土間コンクリート用遮断シートが配置されている
ことを特徴とする床下防蟻構造。
【請求項１１】
上記土間コンクリート用遮断シートが、防蟻効果を有することを特徴とする請求項１、３乃至１０のいずれかに記載の床下防蟻構造。
【請求項１２】
上記地盤用遮断シートが、防蟻効果を有することを特徴とする請求項２乃至９のいずれかに記載の床下防蟻構造。
【請求項１３】
建築物の基礎で囲まれた床下部分に土間コンクリートを配設した床下防蟻構造を構築するための床下防蟻方法であって、
上記床下部分の基礎内側面に沿った地盤上に防蟻材を配設し、
上記防蟻材の上面に、この防蟻材と上記土間コンクリートとの接触を遮断する土間コンクリート用遮断シートを敷設し、
上記土間コンクリート用遮断シートを被覆する状態で上記土間部分に土間コンクリートを打設する工程
を有することを特徴とする床下防蟻方法。
【発明の詳細な説明】
【０００１】
【発明の属する技術分野】
本発明は、建築物における床下防蟻構造、及び、この床下防蟻構造を構築するための床下防蟻方法に関するものである。
【０００２】
【従来の技術】
従来、木造建築物等の建築物については、基礎で囲まれた床下部分の地盤から建築物に這い上がった白蟻により、食害を受けることが多い。そこで、これらの被害を低減するため、下記特許文献１に図４に示すような構造が開示されている。
【０００３】
図４において、基礎１０１の内側（この明細書では、基礎を基準にしてそれよりも床下側を意味する。図３においては基礎１０１より右側部分を指す。）の面に沿って地盤Ｓを掘り下げることにより溝部１０２が形成され、この溝部に防蟻機能を持った防蟻材１０５が充填されている。防蟻材１０５及び地盤Ｓの上には、土間コンクリート１０３が設置され、土間コンクリート１０３の端部と基礎１０１の内側面とは接触した状態となっている。この構造を採ると、防蟻材１０５及び土間コンクリート１０３によって、地盤Ｓに生息する白蟻が建築物に這い上がることが阻止される。
【０００４】
【特許文献１】
特開２００１−１１９６３号公報
【０００５】
【発明が解決しようとする課題】
上記構造では、防蟻材１０５と土間コンクリート１０３、及び、防蟻材１０５と地盤Ｓがそれぞれ直接接触する状態で配置されているため、地盤Ｓに含まれる湿気により防蟻材１０５が経時変化し、この防蟻材１０５の防蟻効果が低下するおそれがある。また、このような構造を施工する場合、土間コンクリート１０３を設置する前に予め溝部１０２に防蟻材１０５を充填する必要があるため、土間コンクリート１０３を打設する際、打設時のコンクリートに含まれる水分や湿気、特にコンクリートの硬化反応時に作出される強アルカリ水等によって、防蟻材１０５の防蟻効果が低下するおそれがある。そこで、長期間の使用において、より確実に防蟻効果が維持される床下防蟻構造が求められていた。
【０００６】
本発明は、長期間防蟻効果を保持させることが出来る床下防蟻構造、及び、この床下防蟻構造を構築するための床下防蟻方法を提供することを目的とする。
【０００７】
【課題を解決するための手段】
本発明は、建築物の基礎で囲まれた床下部分を防蟻する床下防蟻構造であって、上記床下部分の基礎内側面に沿った地盤上に防蟻材が配設され、上記防蟻材を被覆する状態で上記防蟻材が配設された位置より内側の土間部分に土間コンクリートが配設され、上記防蟻材と上記土間コンクリートとの間に、上記防蟻材と上記土間コンクリートとの接触を遮断する土間コンクリート用遮断シートが設けられていることを特徴とするものである。
【０００８】
この床下防蟻構造を構築する方法としては、請求項１３の発明のような、上記床下部分の基礎内側面に沿った地盤上に防蟻材を配設し、上記防蟻材の上面に、この防蟻材と上記土間コンクリートとの接触を遮断する土間コンクリート用遮断シートを敷設し、上記土間コンクリート用遮断シートを被覆する状態で上記土間部分に土間コンクリートを打設する工程を有する床下防蟻方法を採ることが可能となる。
【０００９】
したがって、土間コンクリートの打設作業中において、打設作業中の土間コンクリートに含まれる成分が上記防蟻材に付着することがなく、防蟻材の薬効の低下の可能性が低減される。よって、長期間の使用においても、より確実に防蟻効果が維持される。
【００１０】
また、請求項２の発明は、上記防蟻材と上記地盤との間に、上記防蟻材と上記地盤の接触を遮断する地盤用遮断シートが設けられていることを特徴としたものである。
【００１１】
この構造を採れば、上記地盤用遮断シートにより上記防蟻材と上記地盤との接触が遮断されるため、地盤に含まれる湿気等の成分が上記防蟻材に付着して防蟻材の薬効が低下することが抑止される。
【００１２】
さらに、請求項３の発明のように、上記防蟻材と上記土間コンクリートとの間に、上記防蟻材と上記土間コンクリートとの接触を遮断する土間コンクリート用遮断シートが配設されているとともに、上記防蟻材と上記地盤との間に、上記防蟻材と上記地盤との接触を遮断する地盤用遮断シートが配設されている構造を採れば、打設作業中の土間コンクリートに含まれる成分のみならず、上記地盤に含まれる成分も防蟻材に付着する可能性が少なくなり、防蟻材の薬効が低下する可能性がさらに低減される。
【００１３】
上記地盤用遮断シートと、上記土間コンクリート用遮断シートとの配置状態としては、例えば、上記地盤用遮断シートの内側端より上記土間コンクリート用遮断シートの内側端の方が外側寄り（すなわち基礎寄り）に位置するように設置してもよいが、この構造では、打設作業中の土間コンクリートに含まれる成分が上記地盤用遮断シートの上面を伝って上記防蟻材の設置箇所に至る可能性があるのに対し、請求項４記載の発明のように、上記地盤用遮断シートの内側端を覆うように上記土間コンクリート用遮断シートが設置されている構造、すなわち、上記地盤用遮断シートの内側端より上記土間コンクリート用遮断シートの内側端の方が内側に設置されている構造であると、地盤用シートの内側面が土間コンクリート用遮断シートで完全に覆われる状態となるので、打設作業中の土間コンクリート含有成分が上記防蟻材の設置箇所に侵入することが抑止される。
【００１４】
さらに、請求項５記載の発明のように、上記土間コンクリート用遮断シートが床下部分全域を覆うようにすると、その上に打設される土間コンクリートが地盤用遮断シートに接触することが確実に阻止されるため、この地盤用遮断シートの上面を経て上記防蟻材の設置箇所へ打設作業中の土間コンクリート含有成分が侵入することがより確実に防止される。
【００１５】
なお、本発明の床下防蟻構造の施工する方法としては、例えば、まず上記地盤用遮断シートを、上記基礎内側面と接触させるように上記地盤に配設し、次に、上記地盤用遮断シート上に上記基礎内側面に沿う状態で防蟻材を配設し、その後、土間コンクリート用遮断シート及び上記土間コンクリートを配設する順序で行うのが好ましい。
【００１６】
このような施工方法を採る場合、請求項６記載のように、上記地盤用遮断シートが、基礎内側面に沿って帯状に延びる領域を被覆するようにすると、土間コンクリート用遮断シート及び上記土間コンクリートを配設する場合等のような施工時に誤って上記地盤用遮断シートを踏みつけるおそれがほとんどなくなり、このような踏みつけによるシートの位置ずれが防がれる。
【００１７】
なお、請求項７記載の発明は、上記土間コンクリート用遮断シートは可撓性を有し、上記土間コンクリート用遮断シートの外側端が上記基礎内側面に沿う向きに折り曲げられた状態で当該基礎内側面に密着するように上記土間コンクリート用遮断シートが設置されていることを特徴とする床下防蟻構造である。
【００１８】
この構造では、上記土間コンクリート用遮断シートの外側端が折り曲げられずに上記基礎内側面に当接している場合と比較して、多少シートずれを起こした際においても、上記土間コンクリート用遮断シートと基礎内側面との接触状態を保持することが出来る。また、上記土間コンクリート用遮断シートと上記基礎内側面との接触面積も大きくなる。よって、上記防蟻材と上記土間コンクリートとの遮断、及び、上記防蟻材と上記地盤との遮断効果がさらに向上される。
【００１９】
請求項８記載の発明は、上記床下部分のうち上記基礎内側面に沿う地盤に溝部が設けられ、かかる溝部に防蟻材が充填された床下防蟻構造である。この構造によれば、確実に定まった位置に防蟻材を配置することが出来る。
【００２０】
また、かかる溝部が設けられた場合、請求項９の発明のような、上記溝部の底部の地盤に沿って地盤用遮断シートが設けられている床下防蟻構造を採ることが可能となる。
【００２１】
請求項１０記載の発明は、請求項９記載の床下防蟻構造であって、上記地盤用遮断シートは、その内側端が上記溝部より内側の土間部分にはみ出るように設置され、この内側端を覆うように上記土間コンクリート用遮断シートが配置されたものである。この構造を採ると、請求項４の発明と同様に、地盤用シートの内側面が土間コンクリート用遮断シートで完全に覆われる状態となるので、打設作業中の土間コンクリート含有成分が上記防蟻材の設置箇所に侵入することが抑止される。
【００２２】
請求項１１の発明は、上記土間コンクリート用遮断シートが防蟻効果を有する床下防蟻構造である。また、請求項１２の発明は、上記地盤用遮断シートが防蟻効果を有する床下防蟻構造である。このような構造にすると、防蟻効果を向上させることが可能となる。
【００２３】
【発明の実施の形態】
本発明の実施形態を図１及び図２を用いて説明する。ただし、本発明は以下の実施形態に限定されることはない。
【００２４】
第１実施形態（図１、図２参照）
図１は本実施形態における構造の概要図を示すものである。本図において、地盤４１に基礎３１が設置され、その上に建築物１０が設置されている。
【００２５】
基礎３１は、前記建築物１０の床下部分（本図においては基礎３１の右側部分。図２以降においても同様とする。）を取り囲むようにして地盤４１に設置されている。
【００２６】
なお、本実施形態の説明で以下に記載される「内側」とは、基礎３１を基準にして、床下側を意味する。なお、図１及び図２においては基礎３１を基準として右方向に向けての方向を指す。
【００２７】
床下部分に該当する地盤４１は、基礎３１の内側面３１ａ（基礎内側面に相当）に沿って設けられた溝部４３と、溝部４３の内側に位置する土間部４２（土間部分に相当）とを具備している。なお、溝部４３は、下側が細くなった楔型の形状に形成されている。
【００２８】
地盤用遮断シート１１は、溝部４３が形成された領域及び土間部４２を含む領域であって基礎内側面３１ａに沿って帯状に延びる領域を被覆している。具体的には、地盤用遮断シート１１が、溝部４３底部の地盤４１に沿って敷設され、かつ、そのシート１１の内側端１１ｂが溝部４３から土間部４２にはみ出した状態で敷設され、地盤用遮断シート１１の外端部１１ａが、基礎内側面３１ａに当接される状態で敷設されている。釘７１は、溝部４３内に地盤用遮断シート１１を貫通し、地盤用遮断シート１１を地盤４１に固定している。
【００２９】
溝部４３において、地盤用遮断シート１１の上には、防蟻材５１が充填されている。すなわち、地盤用遮断シート１１により、防蟻材５１と地盤４１との接触が遮断されている。
【００３０】
土間コンクリート６１は、床下部分全域を覆うように地盤４１上に配設されている。なお、土間コンクリート６１の設置箇所としては、少なくとも溝部４３を覆う状態で土間部４２に配設されていれば必ずしも床下部分全面を覆う状態で配設する必要はない。また、土間コンクリート６１の上面と基礎内側面４１ａとの間隙部分を連結するように、土間コンクリート用防蟻材２５が配置されている。
【００３１】
土間コンクリート用遮断シート２１は、土間コンクリート６１と、土間部４２並びに溝部４３との間に設置され、床下部分全域を覆っている。すなわち、防蟻材５１の入った溝部４３と土間部４２の全域を被覆している。また、その外端部２１ａは基礎内側面３１ａに沿う向きに折り曲げられた状態で当該基礎内側面３１ａに密着している。すなわち、溝部４３と土間コンクリート６１との間に、土間コンクリート用遮断シート２１が配置されることにより、防蟻材５１と土間コンクリート６１との接触が遮断されている。
【００３２】
したがって、土間コンクリート用遮断シート２１は、地盤用遮断シート１１のうち内側端１１ｂを含む土間部４２にはみ出している部分を上から完全に覆っている。また、土間コンクリート用遮断シート２１と地盤用遮断シート１１とは相互に密着されている。
【００３３】
地盤用遮断シート１１及び土間コンクリート用遮断シート２１には、主に合成樹脂素材からなるシート材が用いられる。具体的にはＥＶＡ（エチレン−酢酸ビニル共重合体）及び低密度ポリエチレン等のポリエチレン及びポリプロピレン及びエチレン−αオレフィン共重合体等に代表されるオレフィン系素材、ＰＶＣ（ポリ塩化ビニル）、ＡＢＳ樹脂、ポリスチレン、アクリル樹脂、ナイロン等が挙げられる。なお、かかる素材としては、可撓性を持つものが好ましい。このような可撓性を具備することにより、その外側端を折り曲げて基礎内側面３１ａとの密着性を向上させることが可能となる。また、防蟻効果をあげるために、これらの遮断シート１１、２１の基材に防蟻薬剤を練り込んでもよい。防蟻薬材としては、ピレスロイド様薬剤（シラフルオフェン、エトフェンプロックス等）、ピレストイド系薬剤（ビフェントリン、サイパーメストン、デルタメスリン、パーメスリン、ペルメスリン、アレスリン、トラロメスリン等）、カーバメント系薬剤（プロボクスル、フェノカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等が挙げられる。
【００３４】
防蟻材５１は、上記防蟻薬剤を溶媒に混入した被覆剤を略直径１ｍｍ〜３ｍｍの粒子の表面に塗布したものや、当該粒子に上記防蟻薬剤を練り込んだものである。粒子の素材としては、無機質粒子（砂、軽石、セオライト、ひる石、珪砂、クレータルク、炭酸カルシウム、ベントナイト、珪藻土、硫酸マグネシウム）、有機質粉粒子（木片、竹片）、合成樹脂（ポリエチレン、ポリプロピレン、ＥＶＡ（エチレン−酢酸ビニルアルコール共重合体）、ＰＶＣ（ポリ塩化ビニル）、ナイロン等）等が挙げられる。溶媒としては、水、有機溶剤（エタノール、メタノール、イソプロピルアルコール、キシレン、トルエン、酢酸エチル、ノルマルヘキサン、ベンゼン、メチルエチルケトン）等が挙げられる。
【００３５】
次に、このような防蟻構造を施工する方法について、図２（ａ）〜（ｅ）を用いて説明する。
【００３６】
工程▲１▼（図２（ａ）参照）  地盤４１を掘り下げて溝部４３を形成する。
【００３７】
工程▲２▼（図２（ｂ）参照）  地盤用遮断シート１１を、溝部４３及び土間部４２に敷設する。具体的には、地盤用遮断シート１１の外端部１１ａを基礎内側面３１ａに沿う向きに折り曲げてその外側端１１ａを基礎内側面３１ａに当接させ、このシート１１を溝部４３に沿って敷設する一方、内側端１１ｂを溝部４３からはみ出させて土間部４２の上に敷設する。そして、釘７１を地盤用遮断シート１１を貫通させた状況で溝部４１に打ち付けることにより、地盤用遮断シート１１を地盤４１に固定する。
【００３８】
工程▲３▼（図２（ｃ）参照）  溝部４３に防蟻材５１を充填する。
【００３９】
工程▲４▼（図２（ｄ）参照）  土間コンクリート用遮断シート２１を、溝部４３並びに防蟻材５１、及び、土間部４２、及び、地盤用遮断シート１１のうち土間部４２にはみ出している部分を被覆するように、床下部分全面に亘って打設する。なお、外端部２１ａは、折り曲げた状態で基礎内側面３１ａに当接させ、土間コンクリート用遮断シート２１と、地盤用遮断シート１１の内側端１１ｂとは相互に密着させるようにする。
【００４０】
工程▲５▼（図３（ｅ）参照）  土間コンクリート用遮断シート２１の上に、床下部分全面を覆うように土間コンクリート６１を設置する。さらに、土間コンクリート６１の上面と基礎内側面３１ａとの間隙部分を連結するように土間コンクリート用防蟻材２５を塗布し、かかる防蟻材２５を固化させる。
【００４１】
この構造では、地盤用遮断シート１１により、防蟻材５１と地盤４１との接触が遮断されるため、地盤４１に含まれる湿気等の成分が防蟻材５１に付着して防蟻材５１の薬効を低下させることが抑止され、長期間の使用においても防蟻効果を維持することが可能となる。
【００４２】
また、土間コンクリート用遮断シート２１は、土間コンクリート６１を打設する前に、防蟻材５１と土間コンクリート６１との接触が遮断するように設置される。したがって、打設作業中の土間コンクリート６１に含まれる水分や湿気等の成分、特にコンクリートの硬化反応時に作出される強アルカリ水やコンクリートの素材自身に含まれる成分等が防蟻材５１に付着することがなく、防蟻材５１の薬効の低下の可能性が低減され、長期間の使用においても防蟻効果が維持することが可能となる。
【００４３】
さらに、地盤用遮断シート１１と土間コンクリート用遮断シート２１とが併せて設置されているため、打設作業中の土間コンクリート６１に含まれる成分のみならず、地盤４１に含まれる成分も防蟻材５１に付着する可能性が少なくなり、防蟻材５１の薬効が低下する可能性をさらに低減することができる。
【００４４】
地盤用遮断シート１１は、その内側端１１ｂが土間部４２に設置され、この内側端１１ｂを覆うように土間コンクリート用遮断シート２１が設置されている。したがって、打設作業中の土間コンクリート６１に含まれている成分が、地盤用遮断シート１１の上面を伝って溝部４３に至ることにより、防蟻材５１に付着することが防止される。よって、防蟻材５１の薬効の低下を防ぐ上ではより有効である。
【００４５】
なお、土間コンクリート用遮断シート２１は床下部分全域を覆うようにしているため、土間コンクリート６１が地盤用遮断シート１１に接触することが確実に阻止され、この地盤用遮断シート１１の上面を経て溝部４３内へ打設作業中の土間コンクリート６１の含有成分が侵入することがより確実に防止される。
【００４６】
地盤用遮断シート１１は、基礎内側面３１ａに沿って帯状に延びる領域のみを被覆しているため、例えば、工程▲３▼以降の工程を施工する場合において、既に工程▲２▼で設置された地盤用遮断シート１１を誤って踏みつけてこのシート１１の位置ずれを引き起こす可能性が低減される。したがって、誤って防蟻材５１と地盤４１とを接触させる可能性が低減される。よって、防蟻材５１と地盤４１とをより確実に遮断することが出来る。
【００４７】
また、地盤用遮断シート１１及び土間コンクリート用遮断シート２１は可撓性のものであるため、基礎内側面３１ａとの密着性を向上させることが出来る。よって、防蟻材５１と打設作業中の土間コンクリート６１との遮断、及び、防蟻材５１と地盤４１との遮断効果をさらに向上することができる。
【００４８】
土間コンクリート用遮断シート２１の外側端２１ａは、基礎内側面３１に沿う向きに折り曲げられた状態で基礎内側面３１ａに密着するように地盤用遮断シート１１及び土間コンクリート用遮断シート２１が設置されている。したがって、土間コンクリート用遮断シート２１の外側端１１ｂが折り曲げられずに基礎内側面３１に当接している場合と比較して、多少シートの位置ずれを起こした際においても、これらの遮断シート１１、２１と基礎内側面３１ａとの接触状態を保持することが出来る。また、土間コンクリート用遮断シート２１と基礎内側面３１ａとの接触面積も大きくなる。よって、防蟻材５１と打設作業中の土間コンクリート６１との遮断効果をさらに向上させることが可能となる。
【００４９】
なお、基礎内側面３１ａに沿う地盤４１に溝部４３が設けられ、この溝部４３に防蟻材５１が充填される構造となっているため、定まった位置に防蟻材５１を確実に配置することが出来る。
【００５０】
さらに、溝部４３は、下側が細くなった楔型の形状に形成されているため、他の形状を採用した場合と比較して防蟻材５１と基礎内側面３１ａとの密着部分に負荷される圧力、及び、地盤用遮断シート１１と基礎内側面３１ａとの密着部分に負荷される圧力が上昇する。よって、防蟻効果を高めることが可能となる。
【００５１】
地盤用遮断シート１１、及び、土間コンクリート用遮断シート２１は、防蟻材が練り込まれている、すなわち防蟻効果を有するものである。したがって、防蟻効果をさらに向上させることが出来る。
【００５２】
また、釘７１は、地盤用遮断シート１１を地盤４１に固定するように設置されているため、地盤用遮断シート１１の位置ずれを防止することが可能となる。
【００５３】
第二実施形態（図３参照）
以下の説明において、第１実施形態と同構成の部分については、同一符号のみを付し、その説明を省略する。
【００５４】
第二実施形態の床下防蟻構造は、第一実施形態と異なり、溝部４３（図１参照）を形成せず、基礎内側面３１ａに沿った地盤４１部分に防蟻材５１が設けられているものである。また、地盤用遮断シート１１は、基礎内側面３１ａに沿って帯状に延びる地盤４１部分のみ被覆しており、釘７１で地盤４１に固定されている。
【００５５】
その他実施形態
（１）  本発明の床下防蟻構造は、必ずしも、地盤用遮断シート１１と土間コンクリート用遮断シート２１とを併せて設置する必要はなく、択一的に設置してもよい。例えば、地盤用遮断シート１１のみを設置した場合においても、防蟻材５１と地盤４１との接触が遮断されるため、地盤４１に含まれる湿気等の成分が防蟻材５１に付着して、防蟻材５１の薬効を低下させることが抑止され、長期間の使用においても防蟻効果を維持することが可能となる。また、土間コンクリート用遮断シート２１のみを設置した場合でも、防蟻材５１と土間コンクリート６１との接触が遮断されるため、土間コンクリート６１に含まれる成分が上記防蟻材に付着することがなく、防蟻材５１の薬効の低下の可能性が低減される。よって、長期間の使用においても防蟻効果が維持することが可能となる。しかしながら、地盤用遮断シート１１と土間コンクリート用遮断シート２１とを併せて設置するほうが、土間コンクリート６１に含まれる成分のみならず、地盤４１に含まれる成分をも防蟻材５１に付着する可能性が少なくなり、防蟻材５１の薬効が低下する可能性をさらに低減することができる。
【００５６】
（２）  地盤用遮断シート１１の外端部１１ａは、必ずしも上記実施形態のように折り曲げる必要はなく、外端部１１ａが、基礎内側面３１ａに密着されていればよい。例えば、外側部１１ａが基礎内側面３１ａに当接する構造でもよい。しかしながら、外端部１１ａが折り曲げられているほうが上記遮断シート１１と基礎内側面３１ａとの密着性を向上されることができ、防蟻材５１と土間コンクリート６１との遮断効果、及び、防蟻材５１と地盤４１との遮断効果を向上させる上ではより有効である。なお、上記外端部１１ａの先端の位置が土間コンクリート６１の上面より高い位置となるように配置すると、防蟻材５１と土間コンクリート６１との遮断効果を高める点では有効である。
【００５７】
（３）  地盤用遮断シート１１は、その外端部１１ａが基礎内側面３１ａに沿う方向に折り曲げられて基礎内側面３１ａに密着される状態で敷設してもよい。
【００５８】
（４）  土間コンクリート用遮断シート２１は、必ずしも床下部分全域を覆う必要はない。例えば、土間コンクリート用遮断シート２１は、地盤用遮断シート１１の内側端１１ｂを覆うが、かかる内側端１１ｂの少し内側の領域の領域までを覆うにとどめ、床下部分全域を覆わない形態で設置してもよい。
【００５９】
（５）  防蟻材５１の性状としては、特に無機質粒子やペレット状のものに限定されるものではない。例えば、液状のものや、ペースト状のものであって溝部４３の形に固化させたもの等を用いることも可能である。
【００６０】
（６）  地盤用遮断シート１１及び土間コンクリート用遮断シート２１を敷設する枚数においては、複数枚に分けて設置する構造を採っても、各々一枚のシートのみで設置する構造をよってもよく、特に限定しない。
【００６１】
【発明の効果】
以上説明したことから明らかなように、本発明は、防蟻材が充填された溝部と、土間コンクリートとの間に、上記防蟻材と上記土間コンクリートとの接触を遮断する土間コンクリート用遮断シートが設置されているため、上記土間コンクリート用遮断シートにより上記防蟻材と上記土間コンクリートとの接触が遮断される。したがって、土間コンクリートに含まれる成分が上記防蟻材に付着することがなく、防蟻材の薬効の低下の可能性が低減される。よって、長期間の使用においても、より確実に防蟻効果を維持することが可能となる。
【００６２】
また、請求項２の発明は、上記溝部と上記地盤との間に上記防蟻材と上記地盤との接触を遮断する地盤用遮断シートが設けられているため、上記地盤用遮断シートにより上記防蟻材と上記地盤との接触が遮断される。よって、地盤に含まれる湿気等の成分が上記防蟻材に付着することによる防蟻材の薬効の低下を抑止することが可能となる。
【００６３】
さらに、請求項３の発明のように、上記土間コンクリート用遮断シートと上記地盤用遮断シートとが併せて設けられている構造を採れば、上記土間コンクリートに含まれる成分のみならず上記地盤に含まれる成分も防蟻材に付着する可能性が少なくなり、防蟻材の薬効低下をより効果的に抑止することが可能となる。
【図面の簡単な説明】
【図１】本発明の第１実施形態に係る床下防蟻構造の実施形態を示した概略図である。
【図２】（ａ）〜（ｅ）については、前記第１実施形態に係る床下防蟻構造の施工手順を示したものである。
【図３】本発明の第２実施形態に係る床下防蟻構造の実施形態を示した概略図である。
【図４】従来の床下防蟻構造の実施形態を示した概略図である。
【符号の説明】
１１    地盤用遮断シート
１１ａ  外端部（地盤用遮断シートの外側端）
１１ｂ  内側端（地盤用遮断シートの内側端）
２１    土間コンクリート用遮断シート
２１ａ  外端部（土間コンクリート用遮断シートの外側端）
３１      基礎
３１ａ  基礎内側面
４１      地盤
４２      土間部（土間部分）
４３      溝部
５１      防蟻材
６１      土間コンクリート
【図１】
2004293049.tif 000003
【図２】
2004293049.tif 000004
【図３】
2004293049.tif 000005
【図４】
2004293049.tif 000006
【手続補正書】
【提出日】平成15年11月26日(2003.11.26)
【手続補正１】
【補正対象書類名】明細書
【補正対象項目名】全文
【補正方法】変更
【補正の内容】
【特許請求の範囲】
【請求項１】建築物の基礎で囲まれた床下部分を防蟻する床下防蟻構造であって、
上記床下部分の基礎内側面に沿った地盤上に防蟻材が配設され、上記防蟻材を被覆する状態で上記防蟻材が配設された位置より内側の土間部分に土間コンクリートが配設され、
上記防蟻材と上記土間コンクリートとの間に、上記防蟻材と上記土間コンクリートとの接触を遮断する土間コンクリート用遮断シートが設けられている
ことを特徴とする床下防蟻構造。
【請求項２】建築物の基礎で囲まれた床下部分を防蟻する床下防蟻構造であって、
上記床下部分の基礎内側面に沿った地盤上に防蟻材が配設され、上記防蟻材を被覆する状態で上記防蟻材が配設された位置より内側の土間部分に土間コンクリートが配設され、
上記防蟻材と上記地盤との間に、上記防蟻材と上記地盤の接触を遮断する地盤用遮断シートが設けられている
ことを特徴とする床下防蟻構造。
【請求項３】建築物の基礎で囲まれた床下部分を防蟻する床下防蟻構造であって、
上記床下部分の基礎内側面に沿った地盤上に防蟻材が配設され、上記防蟻材を被覆する状態で上記防蟻材が配設された位置より内側の土間部分に土間コンクリートが配設され、
上記防蟻材と上記土間コンクリートとの間に、上記防蟻材と上記土間コンクリートとの接触を遮断する土間コンクリート用遮断シートが配設されているとともに、
上記防蟻材と上記地盤との間に、上記防蟻材と上記地盤との接触を遮断する地盤用遮断シートが配設されている
ことを特徴とする床下防蟻構造。
【請求項４】請求項３記載の床下防蟻構造であって、
上記地盤用遮断シートの内側端を覆うように上記土間コンクリート用遮断シートが設置されている
ことを特徴とする床下防蟻構造。
【請求項５】上記土間コンクリート用遮断シートは床下部分全面を覆うことを特徴とする請求項１、３、４のいずれかに記載の床下防蟻構造。
【請求項６】上記地盤用遮断シートは、上記床下部分のうち基礎内側面に沿って帯状に延びる領域の地盤を被覆することを特徴とする請求項２乃至５のいずれかに記載の床下防蟻構造。
【請求項７】上記土間コンクリート用遮断シートは可撓性を有し、上記土間コンクリート用遮断シートの外側端が上記基礎内側面に沿う向きに折り曲げられた状態で当該基礎内側面に密着するように上記土間コンクリート用遮断シートが設置されていることを特徴とする請求項１、３乃至６のいずれかに記載の床下防蟻構造。
【請求項８】請求項１記載の床下防蟻構造であって、
上記床下部分のうち上記基礎内側面に沿う地盤に溝部が設けられ、かかる溝部に防蟻材が充填されたことを特徴とする床下防蟻構造。
【請求項９】上記土間コンクリート用遮断シートが、防蟻効果を有することを特徴とする請求項１、３乃至８のいずれかに記載の床下防蟻構造。
【請求項１０】上記地盤用遮断シートが、防蟻効果を有することを特徴とする請求項２乃至８のいずれかに記載の床下防蟻構造。
【請求項１１】建築物の基礎で囲まれた床下部分に土間コンクリートを配設した床下防蟻構造を構築するための床下防蟻方法であって、
上記床下部分の基礎内側面に沿った地盤上に防蟻材を配設し、
上記防蟻材の上面に、この防蟻材と上記土間コンクリートとの接触を遮断する土間コンクリート用遮断シートを敷設し、
上記土間コンクリート用遮断シートを被覆する状態で上記土間部分に土間コンクリートを打設する工程
を有することを特徴とする床下防蟻方法。
【発明の詳細な説明】
【０００１】
【発明の属する技術分野】
本発明は、建築物における床下防蟻構造、及び、この床下防蟻構造を構築するための床下防蟻方法に関するものである。
【０００２】
【従来の技術】
従来、木造建築物等の建築物については、基礎で囲まれた床下部分の地盤から建築物に這い上がった白蟻により、食害を受けることが多い。そこで、これらの被害を低減するため、下記特許文献１に図４に示すような構造が開示されている。
【０００３】
図４において、基礎１０１の内側（この明細書では、基礎を基準にしてそれよりも床下側を意味する。図３においては基礎１０１より右側部分を指す。）の面に沿って地盤Ｓを掘り下げることにより溝部１０２が形成され、この溝部に防蟻機能を持った防蟻材１０５が充填されている。防蟻材１０５及び地盤Ｓの上には、土間コンクリート１０３が設置され、土間コンクリート１０３の端部と基礎１０１の内側面とは接触した状態となっている。この構造を採ると、防蟻材１０５及び土間コンクリート１０３によって、地盤Ｓに生息する白蟻が建築物に這い上がることが阻止される。
【０００４】
【特許文献１】
特開２００１−１１９６３号公報
【０００５】
【発明が解決しようとする課題】
上記構造では、防蟻材１０５と土間コンクリート１０３、及び、防蟻材１０５と地盤Ｓがそれぞれ直接接触する状態で配置されているため、地盤Ｓに含まれる湿気により防蟻材１０５が経時変化し、この防蟻材１０５の防蟻効果が低下するおそれがある。また、このような構造を施工する場合、土間コンクリート１０３を設置する前に予め溝部１０２に防蟻材１０５を充填する必要があるため、土間コンクリート１０３を打設する際、打設時のコンクリートに含まれる水分や湿気、特にコンクリートの硬化反応時に作出される強アルカリ水等によって、防蟻材１０５の防蟻効果が低下するおそれがある。そこで、長期間の使用において、より確実に防蟻効果が維持される床下防蟻構造が求められていた。
【０００６】
本発明は、長期間防蟻効果を保持させることが出来る床下防蟻構造、及び、この床下防蟻構造を構築するための床下防蟻方法を提供することを目的とする。
【０００７】
【課題を解決するための手段】
本発明は、建築物の基礎で囲まれた床下部分を防蟻する床下防蟻構造であって、上記床下部分の基礎内側面に沿った地盤上に防蟻材が配設され、上記防蟻材を被覆する状態で上記防蟻材が配設された位置より内側の土間部分に土間コンクリートが配設され、上記防蟻材と上記土間コンクリートとの間に、上記防蟻材と上記土間コンクリートとの接触を遮断する土間コンクリート用遮断シートが設けられていることを特徴とするものである。
【０００８】
この床下防蟻構造を構築する方法としては、請求項１１の発明のような、上記床下部分の基礎内側面に沿った地盤上に防蟻材を配設し、上記防蟻材の上面に、この防蟻材と上記土間コンクリートとの接触を遮断する土間コンクリート用遮断シートを敷設し、上記土間コンクリート用遮断シートを被覆する状態で上記土間部分に土間コンクリートを打設する工程を有する床下防蟻方法を採ることが可能となる。
【０００９】
したがって、土間コンクリートの打設作業中において、打設作業中の土間コンクリートに含まれる成分が上記防蟻材に付着することがなく、防蟻材の薬効の低下の可能性が低減される。よって、長期間の使用においても、より確実に防蟻効果が維持される。
【００１０】
また、請求項２の発明は、上記防蟻材と上記地盤との間に、上記防蟻材と上記地盤の接触を遮断する地盤用遮断シートが設けられていることを特徴としたものである。
【００１１】
この構造を採れば、上記地盤用遮断シートにより上記防蟻材と上記地盤との接触が遮断されるため、地盤に含まれる湿気等の成分が上記防蟻材に付着して防蟻材の薬効が低下することが抑止される。
【００１２】
さらに、請求項３の発明のように、上記防蟻材と上記土間コンクリートとの間に、上記防蟻材と上記土間コンクリートとの接触を遮断する土間コンクリート用遮断シートが配設されているとともに、上記防蟻材と上記地盤との間に、上記防蟻材と上記地盤との接触を遮断する地盤用遮断シートが配設されている構造を採れば、打設作業中の土間コンクリートに含まれる成分のみならず、上記地盤に含まれる成分も防蟻材に付着する可能性が少なくなり、防蟻材の薬効が低下する可能性がさらに低減される。
【００１３】
上記地盤用遮断シートと、上記土間コンクリート用遮断シートとの配置状態としては、例えば、上記地盤用遮断シートの内側端より上記土間コンクリート用遮断シートの内側端の方が外側寄り（すなわち基礎寄り）に位置するように設置してもよいが、この構造では、打設作業中の土間コンクリートに含まれる成分が上記地盤用遮断シートの上面を伝って上記防蟻材の設置箇所に至る可能性があるのに対し、請求項４記載の発明のように、上記地盤用遮断シートの内側端を覆うように上記土間コンクリート用遮断シートが設置されている構造、すなわち、上記地盤用遮断シートの内側端より上記土間コンクリート用遮断シートの内側端の方が内側に設置されている構造であると、地盤用シートの内側面が土間コンクリート用遮断シートで完全に覆われる状態となるので、打設作業中の土間コンクリート含有成分が上記防蟻材の設置箇所に侵入することが抑止される。
【００１４】
さらに、請求項５記載の発明のように、上記土間コンクリート用遮断シートが床下部分全域を覆うようにすると、その上に打設される土間コンクリートが地盤用遮断シートに接触することが確実に阻止されるため、この地盤用遮断シートの上面を経て上記防蟻材の設置箇所へ打設作業中の土間コンクリート含有成分が侵入することがより確実に防止される。
【００１５】
なお、本発明の床下防蟻構造の施工する方法としては、例えば、まず上記地盤用遮断シートを、上記基礎内側面と接触させるように上記地盤に配設し、次に、上記地盤用遮断シート上に上記基礎内側面に沿う状態で防蟻材を配設し、その後、土間コンクリート用遮断シート及び上記土間コンクリートを配設する順序で行うのが好ましい。
【００１６】
このような施工方法を採る場合、請求項６記載のように、上記地盤用遮断シートが、基礎内側面に沿って帯状に延びる領域を被覆するようにすると、土間コンクリート用遮断シート及び上記土間コンクリートを配設する場合等のような施工時に誤って上記地盤用遮断シートを踏みつけるおそれがほとんどなくなり、このような踏みつけによるシートの位置ずれが防がれる。
【００１７】
なお、請求項７記載の発明は、上記土間コンクリート用遮断シートは可撓性を有し、上記土間コンクリート用遮断シートの外側端が上記基礎内側面に沿う向きに折り曲げられた状態で当該基礎内側面に密着するように上記土間コンクリート用遮断シートが設置されていることを特徴とする床下防蟻構造である。
【００１８】
この構造では、上記土間コンクリート用遮断シートの外側端が折り曲げられずに上記基礎内側面に当接している場合と比較して、多少シートずれを起こした際においても、上記土間コンクリート用遮断シートと基礎内側面との接触状態を保持することが出来る。また、上記土間コンクリート用遮断シートと上記基礎内側面との接触面積も大きくなる。よって、上記防蟻材と上記土間コンクリートとの遮断、及び、上記防蟻材と上記地盤との遮断効果がさらに向上される。
【００１９】
請求項８記載の発明は、上記床下部分のうち上記基礎内側面に沿う地盤に溝部が設けられ、かかる溝部に防蟻材が充填された床下防蟻構造である。この構造によれば、確実に定まった位置に防蟻材を配置することが出来る。
【００２０】
また、かかる溝部が設けられた場合、上記溝部の底部の地盤に沿って地盤用遮断シートが設けられている床下防蟻構造を採ることが可能となる。
【００２１】
さらに、上記地盤用遮断シートは、その内側端が上記溝部より内側の土間部分にはみ出るように設置され、この内側端を覆うように上記土間コンクリート用遮断シートが配置されたものにしてもよい。この構造を採ると、請求項４の発明と同様に、地盤用シートの内側面が土間コンクリート用遮断シートで完全に覆われる状態となるので、打設作業中の土間コンクリート含有成分が上記防蟻材の設置箇所に侵入することが抑止される。
【００２２】
請求項９の発明は、上記土間コンクリート用遮断シートが防蟻効果を有する床下防蟻構造である。また、請求項１０の発明は、上記地盤用遮断シートが防蟻効果を有する床下防蟻構造である。このような構造にすると、防蟻効果を向上させることが可能となる。
【００２３】
【発明の実施の形態】
本発明の実施形態を図１及び図２を用いて説明する。ただし、本発明は以下の実施形態に限定されることはない。
【００２４】
第１実施形態（図１、図２参照）
図１は本実施形態における構造の概要図を示すものである。本図において、地盤４１に基礎３１が設置され、その上に建築物１０が設置されている。
【００２５】
基礎３１は、前記建築物１０の床下部分（本図においては基礎３１の右側部分。図２以降においても同様とする。）を取り囲むようにして地盤４１に設置されている。
【００２６】
なお、本実施形態の説明で以下に記載される「内側」とは、基礎３１を基準にして、床下側を意味する。なお、図１及び図２においては基礎３１を基準として右方向に向けての方向を指す。
【００２７】
床下部分に該当する地盤４１は、基礎３１の内側面３１ａ（基礎内側面に相当）に沿って設けられた溝部４３と、溝部４３の内側に位置する土間部４２（土間部分に相当）とを具備している。なお、溝部４３は、下側が細くなった楔型の形状に形成されている。
【００２８】
地盤用遮断シート１１は、溝部４３が形成された領域及び土間部４２を含む領域であって基礎内側面３１ａに沿って帯状に延びる領域を被覆している。具体的には、地盤用遮断シート１１が、溝部４３底部の地盤４１に沿って敷設され、かつ、そのシート１１の内側端１１ｂが溝部４３から土間部４２にはみ出した状態で敷設され、地盤用遮断シート１１の外端部１１ａが、基礎内側面３１ａに当接される状態で敷設されている。釘７１は、溝部４３内に地盤用遮断シート１１を貫通し、地盤用遮断シート１１を地盤４１に固定している。
【００２９】
溝部４３において、地盤用遮断シート１１の上には、防蟻材５１が充填されている。すなわち、地盤用遮断シート１１により、防蟻材５１と地盤４１との接触が遮断されている。
【００３０】
土間コンクリート６１は、床下部分全域を覆うように地盤４１上に配設されている。なお、土間コンクリート６１の設置箇所としては、少なくとも溝部４３を覆う状態で土間部４２に配設されていれば必ずしも床下部分全面を覆う状態で配設する必要はない。また、土間コンクリート６１の上面と基礎内側面４１ａとの間隙部分を連結するように、土間コンクリート用防蟻材２５が配置されている。
【００３１】
土間コンクリート用遮断シート２１は、土間コンクリート６１と、土間部４２並びに溝部４３との間に設置され、床下部分全域を覆っている。すなわち、防蟻材５１の入った溝部４３と土間部４２の全域を被覆している。また、その外端部２１ａは基礎内側面３１ａに沿う向きに折り曲げられた状態で当該基礎内側面３１ａに密着している。すなわち、溝部４３と土間コンクリート６１との間に、土間コンクリート用遮断シート２１が配置されることにより、防蟻材５１と土間コンクリート６１との接触が遮断されている。
【００３２】
したがって、土間コンクリート用遮断シート２１は、地盤用遮断シート１１のうち内側端１１ｂを含む土間部４２にはみ出している部分を上から完全に覆っている。また、土間コンクリート用遮断シート２１と地盤用遮断シート１１とは相互に密着されている。
【００３３】
地盤用遮断シート１１及び土間コンクリート用遮断シート２１には、主に合成樹脂素材からなるシート材が用いられる。具体的にはＥＶＡ（エチレン−酢酸ビニル共重合体）及び低密度ポリエチレン等のポリエチレン及びポリプロピレン及びエチレン−αオレフィン共重合体等に代表されるオレフィン系素材、ＰＶＣ（ポリ塩化ビニル）、ＡＢＳ樹脂、ポリスチレン、アクリル樹脂、ナイロン等が挙げられる。なお、かかる素材としては、可撓性を持つものが好ましい。このような可撓性を具備することにより、その外側端を折り曲げて基礎内側面３１ａとの密着性を向上させることが可能となる。また、防蟻効果をあげるために、これらの遮断シート１１、２１の基材に防蟻薬剤を練り込んでもよい。防蟻薬材としては、ピレスロイド様薬剤（シラフルオフェン、エトフェンプロックス等）、ピレストイド系薬剤（ビフェントリン、サイパーメストン、デルタメスリン、パーメスリン、ペルメスリン、アレスリン、トラロメスリン等）、カーバメント系薬剤（プロボクスル、フェノカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等が挙げられる。
【００３４】
防蟻材５１は、上記防蟻薬剤を溶媒に混入した被覆剤を略直径１ｍｍ〜３ｍｍの粒子の表面に塗布したものや、当該粒子に上記防蟻薬剤を練り込んだものである。粒子の素材としては、無機質粒子（砂、軽石、セオライト、ひる石、珪砂、クレータルク、炭酸カルシウム、ベントナイト、珪藻土、硫酸マグネシウム）、有機質粉粒子（木片、竹片）、合成樹脂（ポリエチレン、ポリプロピレン、ＥＶＡ（エチレン−酢酸ビニルアルコール共重合体）、ＰＶＣ（ポリ塩化ビニル）、ナイロン等）等が挙げられる。溶媒としては、水、有機溶剤（エタノール、メタノール、イソプロピルアルコール、キシレン、トルエン、酢酸エチル、ノルマルヘキサン、ベンゼン、メチルエチルケトン）等が挙げられる。
【００３５】
次に、このような防蟻構造を施工する方法について、図２（ａ）〜（ｅ）を用いて説明する。
【００３６】
工程１（図２（ａ）参照）  地盤４１を掘り下げて溝部４３を形成する。
【００３７】
工程２（図２（ｂ）参照）  地盤用遮断シート１１を、溝部４３及び土間部４２に敷設する。具体的には、地盤用遮断シート１１の外端部１１ａを基礎内側面３１ａに沿う向きに折り曲げてその外側端１１ａを基礎内側面３１ａに当接させ、このシート１１を溝部４３に沿って敷設する一方、内側端１１ｂを溝部４３からはみ出させて土間部４２の上に敷設する。そして、釘７１を地盤用遮断シート１１を貫通させた状況で溝部４１に打ち付けることにより、地盤用遮断シート１１を地盤４１に固定する。
【００３８】
工程３（図２（ｃ）参照）  溝部４３に防蟻材５１を充填する。
【００３９】
工程４（図２（ｄ）参照）  土間コンクリート用遮断シート２１を、溝部４３並びに防蟻材５１、及び、土間部４２、及び、地盤用遮断シート１１のうち土間部４２にはみ出している部分を被覆するように、床下部分全面に亘って打設する。なお、外端部２１ａは、折り曲げた状態で基礎内側面３１ａに当接させ、土間コンクリート用遮断シート２１と、地盤用遮断シート１１の内側端１１ｂとは相互に密着させるようにする。
【００４０】
工程５（図３（ｅ）参照）  土間コンクリート用遮断シート２１の上に、床下部分全面を覆うように土間コンクリート６１を設置する。さらに、土間コンクリート６１の上面と基礎内側面３１ａとの間隙部分を連結するように土間コンクリート用防蟻材２５を塗布し、かかる防蟻材２５を固化させる。
【００４１】
この構造では、地盤用遮断シート１１により、防蟻材５１と地盤４１との接触が遮断されるため、地盤４１に含まれる湿気等の成分が防蟻材５１に付着して防蟻材５１の薬効を低下させることが抑止され、長期間の使用においても防蟻効果を維持することが可能となる。
【００４２】
また、土間コンクリート用遮断シート２１は、土間コンクリート６１を打設する前に、防蟻材５１と土間コンクリート６１との接触が遮断するように設置される。したがって、打設作業中の土間コンクリート６１に含まれる水分や湿気等の成分、特にコンクリートの硬化反応時に作出される強アルカリ水やコンクリートの素材自身に含まれる成分等が防蟻材５１に付着することがなく、防蟻材５１の薬効の低下の可能性が低減され、長期間の使用においても防蟻効果が維持することが可能となる。
【００４３】
さらに、地盤用遮断シート１１と土間コンクリート用遮断シート２１とが併せて設置されているため、打設作業中の土間コンクリート６１に含まれる成分のみならず、地盤４１に含まれる成分も防蟻材５１に付着する可能性が少なくなり、防蟻材５１の薬効が低下する可能性をさらに低減することができる。
【００４４】
地盤用遮断シート１１は、その内側端１１ｂが土間部４２に設置され、この内側端１１ｂを覆うように土間コンクリート用遮断シート２１が設置されている。したがって、打設作業中の土間コンクリート６１に含まれている成分が、地盤用遮断シート１１の上面を伝って溝部４３に至ることにより、防蟻材５１に付着することが防止される。よって、防蟻材５１の薬効の低下を防ぐ上ではより有効である。
【００４５】
なお、土間コンクリート用遮断シート２１は床下部分全域を覆うようにしているため、土間コンクリート６１が地盤用遮断シート１１に接触することが確実に阻止され、この地盤用遮断シート１１の上面を経て溝部４３内へ打設作業中の土間コンクリート６１の含有成分が侵入することがより確実に防止される。
【００４６】
地盤用遮断シート１１は、基礎内側面３１ａに沿って帯状に延びる領域のみを被覆しているため、例えば、工程３以降の工程を施工する場合において、既に工程２で設置された地盤用遮断シート１１を誤って踏みつけてこのシート１１の位置ずれを引き起こす可能性が低減される。したがって、誤って防蟻材５１と地盤４１とを接触させる可能性が低減される。よって、防蟻材５１と地盤４１とをより確実に遮断することが出来る。
【００４７】
また、地盤用遮断シート１１及び土間コンクリート用遮断シート２１は可撓性のものであるため、基礎内側面３１ａとの密着性を向上させることが出来る。よって、防蟻材５１と打設作業中の土間コンクリート６１との遮断、及び、防蟻材５１と地盤４１との遮断効果をさらに向上することができる。
【００４８】
土間コンクリート用遮断シート２１の外側端２１ａは、基礎内側面３１に沿う向きに折り曲げられた状態で基礎内側面３１ａに密着するように地盤用遮断シート１１及び土間コンクリート用遮断シート２１が設置されている。したがって、土間コンクリート用遮断シート２１の外側端１１ｂが折り曲げられずに基礎内側面３１に当接している場合と比較して、多少シートの位置ずれを起こした際においても、これらの遮断シート１１、２１と基礎内側面３１ａとの接触状態を保持することが出来る。また、土間コンクリート用遮断シート２１と基礎内側面３１ａとの接触面積も大きくなる。よって、防蟻材５１と打設作業中の土間コンクリート６１との遮断効果をさらに向上させることが可能となる。
【００４９】
なお、基礎内側面３１ａに沿う地盤４１に溝部４３が設けられ、この溝部４３に防蟻材５１が充填される構造となっているため、定まった位置に防蟻材５１を確実に配置することが出来る。
【００５０】
さらに、溝部４３は、下側が細くなった楔型の形状に形成されているため、他の形状を採用した場合と比較して防蟻材５１と基礎内側面３１ａとの密着部分に負荷される圧力、及び、地盤用遮断シート１１と基礎内側面３１ａとの密着部分に負荷される圧力が上昇する。よって、防蟻効果を高めることが可能となる。
【００５１】
地盤用遮断シート１１、及び、土間コンクリート用遮断シート２１は、防蟻材が練り込まれている、すなわち防蟻効果を有するものである。したがって、防蟻効果をさらに向上させることが出来る。
【００５２】
また、釘７１は、地盤用遮断シート１１を地盤４１に固定するように設置されているため、地盤用遮断シート１１の位置ずれを防止することが可能となる。
【００５３】
第二実施形態（図３参照）
以下の説明において、第１実施形態と同構成の部分については、同一符号のみを付し、その説明を省略する。
【００５４】
第二実施形態の床下防蟻構造は、第一実施形態と異なり、溝部４３（図１参照）を形成せず、基礎内側面３１ａに沿った地盤４１部分に防蟻材５１が設けられているものである。また、地盤用遮断シート１１は、基礎内側面３１ａに沿って帯状に延びる地盤４１部分のみ被覆しており、釘７１で地盤４１に固定されている。
【００５５】
その他実施形態
（１）  本発明の床下防蟻構造は、必ずしも、地盤用遮断シート１１と土間コンクリート用遮断シート２１とを併せて設置する必要はなく、択一的に設置してもよい。例えば、地盤用遮断シート１１のみを設置した場合においても、防蟻材５１と地盤４１との接触が遮断されるため、地盤４１に含まれる湿気等の成分が防蟻材５１に付着して、防蟻材５１の薬効を低下させることが抑止され、長期間の使用においても防蟻効果を維持することが可能となる。また、土間コンクリート用遮断シート２１のみを設置した場合でも、防蟻材５１と土間コンクリート６１との接触が遮断されるため、土間コンクリート６１に含まれる成分が上記防蟻材に付着することがなく、防蟻材５１の薬効の低下の可能性が低減される。よって、長期間の使用においても防蟻効果が維持することが可能となる。しかしながら、地盤用遮断シート１１と土間コンクリート用遮断シート２１とを併せて設置するほうが、土間コンクリート６１に含まれる成分のみならず、地盤４１に含まれる成分をも防蟻材５１に付着する可能性が少なくなり、防蟻材５１の薬効が低下する可能性をさらに低減することができる。
【００５６】
（２）  地盤用遮断シート１１の外端部１１ａは、必ずしも上記実施形態のように折り曲げる必要はなく、外端部１１ａが、基礎内側面３１ａに密着されていればよい。例えば、外側部１１ａが基礎内側面３１ａに当接する構造でもよい。しかしながら、外端部１１ａが折り曲げられているほうが上記遮断シート１１と基礎内側面３１ａとの密着性を向上されることができ、防蟻材５１と土間コンクリート６１との遮断効果、及び、防蟻材５１と地盤４１との遮断効果を向上させる上ではより有効である。なお、上記外端部１１ａの先端の位置が土間コンクリート６１の上面より高い位置となるように配置すると、防蟻材５１と土間コンクリート６１との遮断効果を高める点では有効である。
【００５７】
（３）  地盤用遮断シート１１は、その外端部１１ａが基礎内側面３１ａに沿う方向に折り曲げられて基礎内側面３１ａに密着される状態で敷設してもよい。
【００５８】
（４）  土間コンクリート用遮断シート２１は、必ずしも床下部分全域を覆う必要はない。例えば、土間コンクリート用遮断シート２１は、地盤用遮断シート１１の内側端１１ｂを覆うが、かかる内側端１１ｂの少し内側の領域の領域までを覆うにとどめ、床下部分全域を覆わない形態で設置してもよい。
【００５９】
（５）  防蟻材５１の性状としては、特に無機質粒子やペレット状のものに限定されるものではない。例えば、液状のものや、ペースト状のものであって溝部４３の形に固化させたもの等を用いることも可能である。
【００６０】
（６）  地盤用遮断シート１１及び土間コンクリート用遮断シート２１を敷設する枚数においては、複数枚に分けて設置する構造を採っても、各々一枚のシートのみで設置する構造をよってもよく、特に限定しない。
【００６１】
【発明の効果】
以上説明したことから明らかなように、本発明は、防蟻材が充填された溝部と、土間コンクリートとの間に、上記防蟻材と上記土間コンクリートとの接触を遮断する土間コンクリート用遮断シートが設置されているため、上記土間コンクリート用遮断シートにより上記防蟻材と上記土間コンクリートとの接触が遮断される。したがって、土間コンクリートに含まれる成分が上記防蟻材に付着することがなく、防蟻材の薬効の低下の可能性が低減される。よって、長期間の使用においても、より確実に防蟻効果を維持することが可能となる。
【００６２】
また、請求項２の発明は、上記溝部と上記地盤との間に上記防蟻材と上記地盤との接触を遮断する地盤用遮断シートが設けられているため、上記地盤用遮断シートにより上記防蟻材と上記地盤との接触が遮断される。よって、地盤に含まれる湿気等の成分が上記防蟻材に付着することによる防蟻材の薬効の低下を抑止することが可能となる。
【００６３】
さらに、請求項３の発明のように、上記土間コンクリート用遮断シートと上記地盤用遮断シートとが併せて設けられている構造を採れば、上記土間コンクリートに含まれる成分のみならず上記地盤に含まれる成分も防蟻材に付着する可能性が少なくなり、防蟻材の薬効低下をより効果的に抑止することが可能となる。
【図面の簡単な説明】
【図１】本発明の第１実施形態に係る床下防蟻構造の実施形態を示した概略図である。
【図２】（ａ）〜（ｅ）については、前記第１実施形態に係る床下防蟻構造の施工手順を示したものである。
【図３】本発明の第２実施形態に係る床下防蟻構造の実施形態を示した概略図である。
【図４】従来の床下防蟻構造の実施形態を示した概略図である。
【符号の説明】
１１    地盤用遮断シート
１１ａ  外端部（地盤用遮断シートの外側端）
１１ｂ  内側端（地盤用遮断シートの内側端）
２１    土間コンクリート用遮断シート
２１ａ  外端部（土間コンクリート用遮断シートの外側端）
３１    基礎
３１ａ  基礎内側面
４１    地盤
４２    土間部（土間部分）
４３    溝部
５１    防蟻材
６１    土間コンクリート